(57)【要約】【課題】  通常は浴室棚として使用できると共に、手摺が必要となったときには必然的に浴室棚を取り外す事となる浴室棚の取付構造を提供する。【解決手段】  載置物を載置する棚片１を設け且つ嵌合部２１を備えた接続片２を設けることで浴室棚３を形成し、その棚片１の裏面を手摺当接面とした。略コ字状又は略Ｕ字状の手摺４の先端を水平状態で壁面に設置した。前記手摺当接面を手摺４上部に当接させた状態で前記嵌合部２１を手摺４の壁面からの突出基部４１に嵌合することで、浴室棚３を着脱自在に設置した。【選択図】        図１
2009261624.tif 000002
【特許請求の範囲】
【請求項１】
載置物を載置する棚片を設け且つ嵌合部を備えた接続片を設けることで浴室棚を形成し、棚片の裏面を手摺当接面とし、略コ字状又は略Ｕ字状の手摺の先端を水平状態で壁面に設置し、前記手摺当接面を手摺上部に当接させた状態で前記嵌合部を手摺の壁面からの突出基部に嵌合することで、浴室棚を着脱自在に設置して成ることを特徴とする浴室棚取付構造。
【発明の詳細な説明】
【技術分野】
【０００１】
本発明は、浴室に取付ける浴室棚の取付構造に関するものである。
【背景技術】
【０００２】
従来から、浴室の小物を載置するために浴室の壁面に設置される浴室棚が知られている（例えば特許文献１参照）。図２に示す従来の浴室棚３aは、ねじ等の固着具６を用いて浴室の壁面に固設して設置されるものであり、例えばシャンプー等といった小物が該浴室棚上３ａに載置されて、浴室内の小物を収納するものとして、非常に便利なものである。
【０００３】
また、従来から高齢者や身体障害者等が浴室を利用する際に、これらの者を補助するために浴室に設置される手摺として特許文献２が知られている。この特許文献２には、手摺が浴室の壁面に水平な状態で固設して設置されている。
【特許文献１】特開２００４−３４４１９８号公報
【特許文献２】特開平９−２０９５３８号公報
【発明の開示】
【発明が解決しようとする課題】
【０００４】
ところで、上述の通り浴室棚は非常に便利なものであるが、浴室に手摺が必要な高齢者等が浴室を使用する際には浴室の壁面に浴室棚が設置されていると、特に狭い浴室内においては、高齢者等にとって非常に危険なものとなる。このような高齢者等にしてみれば、浴室棚等といった壁面から突出したものは危険なものであり、少なくとも手摺を設置した側の壁面には手摺以外は何も取付けていないことが望まれるものであった。
【０００５】
一方、高齢者等として手摺が必要となる以前は、手摺が不要であるばかりか、浴室の壁面には浴室棚が無いと不便であり、そのような場合は浴室の小物を収納できる棚の設置が望まれるものであった。
【０００６】
本発明は上記従来の問題に鑑みてなされたものであり、その目的とするところは、通常は浴室棚として使用できると共に、手摺が必要となったときには必然的に浴室棚を取り外す事となる浴室棚の取付構造を提供することにある。
【課題を解決するための手段】
【０００７】
上記課題を解決するために請求項１に係る発明にあっては、載置物を載置する棚片１を設け且つ嵌合部２１を備えた接続片２を設けることで浴室棚３を形成し、棚片１の裏面を手摺当接面とし、略コ字状又は略Ｕ字状の手摺４の先端を水平状態で壁面に設置し、前記手摺当接面を手摺４上部に当接させた状態で前記嵌合部２１を手摺４の壁面からの突出基部４１に嵌合することで、浴室棚３を着脱自在に設置して成ることを特徴とするものである。
【０００８】
このように構成したことで、通常は浴室棚３として使用しつつ、手摺４が必要な場合には簡単に浴室棚３を取り外して手摺４を使用することができる。
【発明の効果】
【０００９】
本発明によれば、通常は浴室の小物を収納できる浴室棚として使用することができて便利であると共に、手摺が必要になったときには簡単に手摺を使用することができる。しかも、それと同時に浴室棚を取り外すこととなるので、より安全な浴室の空間を提供することができる。さらに、浴室棚を取り外した場合であっても、浴室壁面に孔が開いてしまうことがないので、外観上良好なものである。さらに、浴室棚を簡単に取り外しができるので、カビやヌメリが発生し易い浴室棚上の清掃が容易にできて、浴室内を清潔に保つことができる。
【発明を実施するための最良の形態】
【００１０】
以下、本発明の一実施形態について添付図面を用いて説明する。
【００１１】
本発明の実施形態は、図１に示すように、断面略Ｌ字状で樹脂製の浴室棚３を、浴室に設置された手摺４上に載置させてある。この手摺４は平面視略コ字状にて形成されるものであり、手摺４を水平に維持した状態でその先端が浴室の壁面に固設して設置される。該手摺４の浴室壁面の近傍（即ち手摺の浴室壁面からの突出基部４１）に手摺の断面全周又は一部に（本実施形態では全周）凹溝部４１ａが凹設されている。
【００１２】
前記浴室棚３は、例えばシャンプーやリンス等といった浴室の小物（即ち載置物）を載置するための棚片１と、該棚片１から連設される接続片２とから形成されており、該棚片１の裏面を手摺当接面としている。棚片１の浴室壁面と直角な方向の長さ（即ち、前後方向の長さ）は手摺４の該壁面からの突出長さと略同様の長さで形成されている。更に、該棚片の長手方向の一辺は円弧状に形成されると共に、円弧状の辺の縁辺から上方に向けてガイド部１１が突設されている。このガイド部１１は、棚片１上面に載置された載置物が落下するのを防止する役割を果たすものである。
【００１３】
前記接続片２は、棚片１の長手方向のガイド部１１が設置されていない側の辺から下方に向けて連設されている。接続片２には手摺４と嵌合する嵌合部２１としての切欠部２１ａが、接続片２の下辺から上方に向けて逆Ｕ字状に形成されている。この切欠部２１ａの左右方向の長さＬは、前記凹溝部４１ａの断面左右方向の長さよりも長く、且つ手摺４の凹溝部４１ａ以外の部分の断面左右方向の長さよりも短く形成されている。
【００１４】
このように形成された浴室棚３は、浴室の壁面に水平状態に設置された手摺４の上部に載置されるが、詳しくは、接続片２に備える嵌合部２１としての切欠部２１ａを、手摺４に備える凹溝部４１ａに上方から嵌入し、浴室棚３の棚片１の裏面に備える手摺当接面を手摺４上部に当接して載置する。この構成によれば、前後方向及び左右方向に浴室棚３を移動させても、凹溝部４１ａと切欠部２１ａとが当接することで浴室棚３の移動が規制される。また、載置物としての浴室の小物が浴室棚３に載置された場合であっても、水平に設置された手摺４上部が棚片１の裏面の手摺当接面に当接しているので、ガタツキなどもなく載置物を載置できる。さらに手摺４使用時は、この浴室棚３を上方に持ち上げることで浴室棚３を手摺４から取り外すことができる。
【００１５】
叙述のように構成することで、通常は浴室棚３として使用していても、使用者が高齢になった場合等必要が生じた場合には、簡単に手摺４を使用できるようにすることができる。また同時に、収納棚３が浴室壁面から無くなるので、高齢者が収納棚３に衝突するといった危険も同時に回避することができる。壁面に孔をあけることがなく浴室棚３が設置できることで、浴室棚３の取り外し時においても外観を損ねることも無い。
【００１６】
また、ねじ等の固着具を使用しないで収納棚３を浴室壁面に設置することができるから、浴室棚３設置時においても固着具によって外観を損ねることが無く、意匠性が向上する。さらに、収納棚３が着脱自在に設置されているので、カビやヌメリの発生し易い収納棚３を簡単に取り外して清掃することができる。これにより、浴室内を常に清潔に保つことができる。
【００１７】
以上、本発明の一例の実施例として、平面視略コ字状の手摺４に基づいて説明したが、平面視略Ｕ字状の手摺であってもよく特に限定されない。また、棚片１及び接続片２の形状及び材質は本実施形態のものに特に限定されない。更に、上記実施例の棚片１の前後方向の長さは手摺４の壁面からの突出長さと略同様の長さであるが、手摺の壁面からの突出長さが棚板１の前後方向の長さよりも若干長くてもいいし、若干短くてもよいし、特に限定されない。前記嵌合部２１としての切欠部２１ａも特に限定されるものではない。
【図面の簡単な説明】
【００１８】
【図１】本発明の一実施例を示す分解斜視図である。
【図２】従来例を示す分解斜視図である。
【符号の説明】
【００１９】
１      棚片
１１    ガイド部
２      接続片
２１    嵌合部
２１ａ  切欠部
３      浴室棚
４      手摺
４１    突出基部
４１ａ  凹溝部
Ｌ      切欠部の左右方向の長さ
【図１】
2009261624.tif 000003
【図２】
2009261624.tif 000004